【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
体の機能および状態、より詳細には、心臓の電気的および機械的活動、体の部位を通る循環、導電性体液の体積、体積変化または組成の電気的測定のための装置であって、前記装置は、前記体に取り付けられた電極を介して、前記体の機能および状態に対応する電気的測定量を検出し、前記検出された電気的測定量から前記体の機能および状態を計算し、前記体の機能および状態の電気的測定のための前記装置は、前記体の機能および状態の前記計算のために、前記少なくとも１つの測定される体セグメントの寸法、より詳細にはその表面または体積、および／または前記体にある前記電極の前記位置、および／または前記体にある前記電極間の前記距離が、前記検出された電気的変数に与える影響を考慮して設計されており、前記装置は、電気インピーダンスメータ（２４）を有しており、前記体の少なくとも１つのセグメント、任意選択で全身の非接触の二次元または三次元測定、および／または前記体にある前記電極の位置特定および／または前記体にある前記電極間の距離の測定のための装置であり、前記体を測定するための前記装置（４）は、検査カウチ（２）または変形可能なマット（４０）の表面として設計された基準面を有し、ここに前記検査のために前記体を載置することができ、前記体の前記表面および前記体積の計算に使用される基準寸法を示すことができ、および／または前記体の逐次的な横断面を示すことができることを特徴とする装置。
【請求項２】
ＥＣＧ装置を有することを特徴とする請求項１に記載の装置。
【請求項３】
前記少なくとも１つの体のセグメントの非接触の二次元測定のための前記装置は、任意選択で、円柱または円錐台などの幾何学的形状を、基礎とすることによって、前記二次元測定のデータから、前記体のセグメントの前記体積を概算で計算するように設計されていることを特徴とする請求項１または２に記載の装置。
【請求項４】
前記体（４）にパターン（点、ライン、グリッド）を投射するために少なくとも１つのプロジェクタが提供されていることを特徴とする請求項１〜３のいずれか１項に記載の装置。
【請求項５】
前記電極を介して、少なくとも１つの周波数の交流測定電流が複数の方向で前記体に導入され、前記交流測定電流が通る本質的には同じ体セグメントの前記インピーダンスおよび／または前記経時変化が、前記体の少なくとも２つの異なる方向（Ｒ１，Ｒ２，Ｒ３）で測定されることを特徴とする請求項１〜４のいずれか１項に記載の装置。
【請求項６】
測定された２つの下流の体セグメント間に距離が設けられており、前記体の前記非接触の測定のために、前記距離の長さが前記装置によって測定されることを特徴とする請求項１〜５のいずれか１項に記載の装置。
【請求項７】
それぞれの場合に測定される前記セグメントは、合計２つの外部電流電極（Ｅ１およびＥ１５）によって、および少なくとも３つの内部電圧電極（Ｅ１６，Ｅ１７およびＥ２）によって上端および下端で区切られることを特徴とする請求項１〜６のいずれか１項に記載の装置。
【請求項８】
それぞれの場合に測定される前記セグメントは、合計２つの外部電流電極（Ｅ１およびＥ１５）によって、および少なくとも４つの内部電圧電極（Ｅ１６，Ｅ１７，Ｅ２およびＥ１８）によって上端および下端で区切られることを特徴とする請求項１〜７のいずれか１項に記載の装置。
【請求項９】
前記電極への電流、前記電極からの電流を切替えるため、および前記インピーダンス測定のために電気的リレーまたは他の電子切換スイッチ（２３）が提供されていることを特徴とする請求項１〜８のいずれか１項に記載の装置。
【請求項１０】
それぞれの場合に、共通支持体（２９）または共通ブラケット（２６）にそれぞれ固定距離で適用される二重電極（２２）または三重電極要素（３７）は、前記測定のために使用されることを特徴とする請求項１〜９のいずれか１項に記載の装置。
【請求項１１】
前記インピーダンス電極（Ｅ１〜Ｅ１８）は、ＥＣＧ電極（ＲＡ，ＬＡ，ＲＬ，ＬＬ，Ｖ１〜Ｖ６）として少なくとも部分的に配線することができることを特徴とする請求項１〜１０のいずれか１項に記載の装置。
【請求項１２】
前記体の前記非接触の測定のための前記装置に対して、少なくとも１本の装置アーム（１）が設けられており、前記装置アーム（１）は、旋回アームおよび／または関節アームおよび／または伸縮アームとして設計されていることを特徴とする請求項１〜１１のいずれか１項に記載の方法。
【請求項１３】
前記電極（５ａ〜５ｄ）（電極位置Ｅ１〜Ｅ１８，Ｅ５’，Ｅ６’）または前記電極パッケージの少なくとも１つには、コード（バーコードまたはＲＦＩＤなどの電子コード）が備えられており、コード読取り装置および／または前記電極または前記それぞれの電極パッケージに示されている前記コードを入力するための装置を有することを特徴とする請求項１〜１２のいずれか１項に記載の装置。
【請求項１４】
前記電極を介して、少なくとも１つの周波数の交流測定電流が前記体に導入され、前記交流測定電流が流れる体のインピーダンスｚ０および／またはその成分有効抵抗、リアクタンスおよび／または位相角および／またはその経時変化（ｄｚ）が、少なくとも１つの体セグメントで測定されることを特徴とする請求項１〜１３のいずれか１項に記載の装置。
【請求項１５】
前記インピーダンスは、一方では、前記細胞外空間のみをカバーする０．１ｋＨｚ〜最大４０ｋＨｚの少なくとも２つの異なる周波数で測定され、他方では、４０ｋＨｚを越え、２ＭＨｚ未満の少なくとも２つの異なる周波数で測定されることを特徴とする請求項１〜１４のいずれか１項に記載の装置。
【請求項１６】
前記変形可能なマット（４０）は、定義された方法で変形不能または変形可能であり、長さ方向に弾性的に相互接続された横方向ロッド（４１）から構成されていることを特徴とする請求項１〜１５のいずれか１項に記載の装置。
【請求項１７】
前記基準面、より詳細には前記検査カウチ（２）または前記変形可能なマット（４０）は、前記患者または個々の体セグメントの重量を測定するための圧力センサ（４３）を備えることを特徴とする請求項１〜１６のいずれか１項に記載の装置。
【請求項１８】
患者から収集される計測値のためのデータベースに接続可能であり、前記データが、経時変化と共に数値および／またはグラフィックの形式で表示され、グラフィック形式の前記データは、データベース内に記憶されている以前の値と比較して表示され、基準値の識別のためのグラフィック指標（３４）が提供されていることを特徴とする請求項１〜１７のいずれか１項に記載の装置。
【請求項１９】
圧力を上昇させるために、前記体の四肢に取り付けられる少なくとも１つのカフが設けられており、前記カフによって、前記検査される体セグメントに体積変化が生じ、これが前記カフ内の前記圧力上昇中およびその後に、前記装置によって検出可能であることを特徴とする請求項１〜１８のいずれか１項に記載の装置。
【請求項２０】
前記心臓の電気的および機械的活動が、一回心拍出量、駆出率、拡張機能の群から選択される一つ以上である請求項１〜１９のいずれか１項に記載の装置。
【請求項２１】
前記導電性体液の体積、体積変化または組成の電気的測定が、細胞外体積の測定、細胞内水分の測定、浮腫の測定、腹水の測定、滲出液の測定の群から選択される一つ以上である請求項１〜２０のいずれか１項に記載の装置。